(57)【特許請求の範囲】
【請求項１】
無線アクセスネットワークノードであって、
メモリと、
前記メモリに結合された少なくとも１つのプロセッサと、
を備え、
前記少なくとも１つのプロセッサは、所定のイベントに応答して、前記無線アクセスネットワークノードと第１の無線端末との間での制御メッセージの送信に使用される前記第１の無線端末の少なくとも１つの制御論理チャネルの優先度パラメータを初期値から低減するよう構成され、
前記優先度パラメータは、前記無線アクセスネットワークノード及び前記第１の無線端末の少なくとも一方における前記第１の無線端末の複数の論理チャネルの間の優先度ハンドリングに影響し、
前記複数の論理チャネルは、前記少なくとも１つの制御論理チャネル、及び前記第１の無線端末のユーザデータの送信に使用される前記第１の無線端末の少なくとも１つのデータ論理チャネルを含む、
無線アクセスネットワークノード。
【請求項２】
前記優先度パラメータは、前記無線アクセスネットワークノードにおけるリソーススケジューリング、前記無線アクセスネットワークノードにおける前記第１の無線端末の複数のダウンリンク論理チャネルの多重化、及び前記第１の無線端末における前記第１の無線端末の複数のアップリンク論理チャネルの多重化のうち少なくとも１つにおいて考慮される、
請求項１に記載の無線アクセスネットワークノード。
【請求項３】
前記優先度パラメータは、前記第１の無線端末におけるLogical Channel Prioritization（LCP）手順において使用される、
請求項１又は２に記載の無線アクセスネットワークノード。
【請求項４】
前記少なくとも１つのプロセッサは、前記少なくとも１つの制御論理チャネルの前記優先度パラメータが前記少なくとも１つのデータ論理チャネルの優先度パラメータと同じかそれより低くなるように、前記少なくとも１つの制御論理チャネルの前記優先度パラメータを変更する、
請求項１〜３のいずれか１項に記載の無線アクセスネットワークノード。
【請求項５】
前記少なくとも１つのプロセッサは、前記低減された優先度パラメータを示す制御メッセージを前記第１の無線端末に送信するよう構成されている、
請求項１〜４のいずれか１項に記載の無線アクセスネットワークノード。
【請求項６】
前記所定のイベントは、他のネットワークノードからの制御メッセージの受信を含む、
請求項１〜５のいずれか１項に記載の無線アクセスネットワークノード。
【請求項７】
前記所定のイベントは、前記少なくとも１つのデータ論理チャネルを使用したユーザデータ送信の促進又は低減を前記無線アクセスネットワークノードにおいて判定したことを含む、
請求項１〜５のいずれか１項に記載の無線アクセスネットワークノード。
【請求項８】
無線アクセスネットワークノードにおける方法であって、
所定のイベントの発生を判定すること、及び
前記所定のイベントに応答して、前記無線アクセスネットワークノードと第１の無線端末との間での制御メッセージの送信に使用される前記第１の無線端末の少なくとも１つの制御論理チャネルの優先度パラメータを初期値から低減すること、
を備え、
前記優先度パラメータは、前記無線アクセスネットワークノード及び前記第１の無線端末の少なくとも一方における前記第１の無線端末の複数の論理チャネルの間の優先度ハンドリングに影響し、
前記複数の論理チャネルは、前記少なくとも１つの制御論理チャネル、及び前記第１の無線端末のユーザデータの送信に使用される前記第１の無線端末の少なくとも１つのデータ論理チャネルを含む、
方法。
【請求項９】
無線端末であって、
メモリと、
前記メモリに結合された少なくとも１つのプロセッサと、
を備え、
前記少なくとも１つのプロセッサは、前記無線端末と無線アクセスネットワークノードとの間での制御メッセージの送信に使用される少なくとも１つの制御論理チャネルの優先度パラメータを初期値から低減することを示す制御メッセージを前記無線アクセスネットワークノードから受信するよう構成され、
前記少なくとも１つのプロセッサは、前記低減された優先度パラメータを前記無線端末における前記無線端末の複数の論理チャネルの間の優先度ハンドリングに適用するよう構成され、
前記複数の論理チャネルは、前記少なくとも１つの制御論理チャネル、及び前記無線端末のユーザデータの送信に使用される前記無線端末の少なくとも１つのデータ論理チャネルを含む、
無線端末。
【請求項１０】
メモリと、
前記メモリに結合された少なくとも１つのプロセッサと、
を備え、
前記少なくとも１つのプロセッサは、第１の制御メッセージを基地局に送信するよう構成され、
前記第１の制御メッセージは、前記基地局と第１の無線端末との間での制御メッセージの送信に使用される前記第１の無線端末の少なくとも１つの制御論理チャネルの優先度パラメータを初期値から低減するよう前記基地局をトリガーし、
前記優先度パラメータは、前記基地局及び前記第１の無線端末の少なくとも一方における前記第１の無線端末の複数の論理チャネルの間の優先度ハンドリングに影響し、
前記複数の論理チャネルは、前記少なくとも１つの制御論理チャネル、及び前記第１の無線端末のユーザデータの送信に使用される前記第１の無線端末の少なくとも１つのデータ論理チャネルを含む、
ネットワークノード。
【発明の詳細な説明】
【技術分野】
【０００１】
本開示は、モバイル通信ネットワークに関し、特に複数の論理チャネル（又は無線ベアラ）の間の優先度ハンドリングに関する。
【背景技術】
【０００２】
非特許文献１は、LTEのMedium Access Control （MAC）機能を規定している。非特許文献２は、LTEのRadio Resource Control（RRC)）機能を規定している。なお、本明細書で使用される“LTE”との用語は、特に断らない限り、LTE（3GPP Release 8及びそれ以降）、LTE-Advanced（3GPP Release 10及びそれ以降）、及びLTE-Advanced Pro（3GPP Release 13及びそれ以降）を含む。【０００３】
論理チャネルは、シグナリング無線ベアラ（Signaling Radio Bearer（SRB））に対応付けられる制御論理チャネルと、データ無線ベアラ（Data Radio Bearer（DRB））に対応付けられるデータ論理チャネルを含む。各論理チャネルは、１つの無線ベアラ（Radio Bearer（RB））に一対一に対応付けられる。LTEの制御論理チャネルは、Common Control Chanel（CCCH）及びDedicated Control Channel（DCCH）を含む。CCCHはSRB0に使用され、DCCHはSRB1及びSRB2に使用される。SRB0は、RRCコネクションの確立又は再確立のためのRRCメッセージを送信するために使用される。SRB1は、RRCメッセージを送信するため、及びSRB2の確立前のNon-Access Stratum（NAS）メッセージを送信するために使用される。SRB2は、logged measurement informationを含むRRCメッセージを送信するため、及びNASメッセージを送信するために使用される。【０００４】
LTEのMAC機能は、複数のUEの送信をスケジュールするための動的パケットスケジューリング、及びトランスポートブロック（i.e., MAC Protocol Data Unit (PDU)）を生成するための複数の論理チャネル（i.e., MAC Service Data Units (SDUs)、又はRadio Link Control Protocol (RLC) PDUs）の多重化（multiplexing）を含む。これらパケットスケジューリング及び多重化では、複数の論理チャネル（つまり、無線ベアラ）の各々に割り当てられた優先度及びPrioritized Bit Rateが考慮される。【０００５】
非特許文献１は、無線端末（User Equipment（UE））におけるLogical Channel Prioritization（LCP）手順を規定している。LCP手順では、各論理チャネルの優先度及びPBRが考慮される。PBRは、プリオリティのより低い論理チャネルに対して何らかのリソースが割り当てられるよりも前に各論理チャネルに提供されるビットレートである。LCP手順は第１ラウンド及び第２ラウンドを含む。第１ラウンドでは、全ての論理チャネルは、優先度の高いものから順にPBRに対応するリソースが割り当てられる。なお、第１ラウンドにおいて各論理チャネルに割り当てられるリソースの上限は、各論理チャネルのbucket sizeに等しい。各論理チャネルのbucket sizeは、PBRにbucket size duration（BSD）を掛けて得られる値である。次に、第２ラウンドでは、全ての論理チャネルにPBRに対応するリソースが提供されてもまだ利用可能なリソースに余りがある場合に、優先度の高い論理チャネルのデータから順に、その論理チャネルのデータが無くなるか又は割り当てられたリソースが使い尽くされるまでリソースが割り当てられる。【０００６】
基地局（eNodeB（eNB））は、アップリンク（UL）スケジューリング、ダウンリンク（DL）スケジューリング、及びダウンリンク・トランスポートブロック（i.e., DL MAC PDU）を生成する際のLCPは、eNBの実装に任されており（left to the eNB implementation）、したがって、非特許文献１はこれらについて規定していない。いくつかの実装において、eNBは、複数のUEのUL（DL）送信をスケジュールする際に、各UEの論理チャネルの優先度及びPBRを考慮する。例えば、eNBは、高い優先度の論理チャネルのデータ送信に対して低い優先度の論理チャネルよりも優先して無線リソースを割り当てる。さらに又はこれに代えて、いくつかの実装において、eNBは、１つのUEの複数の論理チャネルを多重化して当該UE宛てのDLトランスポートブロック（i.e., DL MAC PDU）を生成する際に、UEでのLCP手順と同様に、各論理チャネルの優先度及びPBRを考慮する。【０００７】
RRCレイヤは、無線ベアラ（各論理チャネル）の優先度及びPBRをMACレイヤに設定し、MACレイヤは、RRCレイヤにより設定された各無線ベアラ（各論理チャネル）の優先度及びPBRに従って、複数の論理チャネルの間の優先度ハンドリングを実行する。非特許文献２は、SRB0（CCCH）、SRB1（DCCH）、及びSRB2（DCCH）の優先度を規定している。具体的には、SRB0（CCCH）、SRB1（DCCH）、及びSRB2（DCCH）の優先度は、それぞれ１、１、及び３である。なお、優先度の値は、１〜１６の整数であり、値が小さいほど高い優先度を表す。すなわち、SRB0及びSRB1は最高の優先度を持ち、SRB2はSRB0及びSRB1の優先度よりも低い優先度を持つ。さらに、SRB0（CCCH）、SRB1（DCCH）、及びSRB2（DCCH）のPBRは、いずれも“無限（infinity）”である。論理チャネル（無線ベアラ）のPBRが“infinity”にセットされている場合、UEのMACエンティティは、より低い優先度の論理チャネルのPBRに対処する（meeting）前に、当該論理チャネルの送信可能な全てのデータにリソースを割り当てる。【０００８】
DRB（DTCH）の優先度及びPBRは、対応するEvolved Packet System（EPS）ベアラのQuality of Service（QoS）から導かれる。具体的には、DRB（DTCH）の優先度及びPBRは、対応するEPSベアラのQuality Class Indicator (QCI) priority及びGuaranteed Bit Rate（GBR）からそれぞれ導かれる。なお、DRB（DTCH）の優先度及びPBRを求める具体的な手順はeNBの実装に任されており、したがって非特許文献２はこれについて規定していない。しかしながら、一般的に、SRBs（CCCH、DCCH）は、DRB（DTCH）よりも高い優先度を持つ。
【先行技術文献】
【非特許文献】
【０００９】
【非特許文献１】3GPP TS 36.321 V13.0.0 (2015-12), “3rd Generation Partnership Project; Technical Specification Group Radio Access Network; Evolved Universal Terrestrial Radio Access (E-UTRA); Medium Access Control (MAC) protocol specification (Release 13)”, December 2015
【非特許文献２】3GPP TS 36.331 V13.0.0 (2015-12), “3rd Generation Partnership Project; Technical Specification Group Radio Access Network; Evolved Universal Terrestrial Radio Access (E-UTRA); Radio Resource Control (RRC); Protocol specification (Release 13)”, December 2015
【発明の概要】
【発明が解決しようとする課題】
【００１０】
上述したように、LTEでは、SRB0及びSRB1は最高の優先度を与えられている。また、SRB2もDRBに比べて相対的に高い優先度レベルを与えられる。eNB及びUEにおける論理チャネル間の優先度ハンドリングに従って、SRBsは、DRBsよりも優先に無線リソースを与えられ、DRBsよりも優先的に送信される。【００１１】
本件発明者は、eNB又はUEにおける論理チャネル間の優先度ハンドリングにおいて考慮されるSRBsの優先度又はPBRを調整可能とすることがいくつかのケースにおいて有効であることを見出した。例えば、eNB又はコアネットワークは、ユーザデータ（ユーザプレーン（Ｕプレーン）トラフィック）へのリソース割り当てを促進できることが好ましいかもしれない。あるいは、eNB又はコアネットワークは、コントロールプレーン（Ｃプレーン）トラフィック（i.e., RRCメッセージ、NASメッセージ）を減らせることが好ましいかもしれない。これらのニーズに応えるために、SRBsの優先度又はPBRを変更すること、例えばSRBsの優先度をDRBsの優先度と同じかそれより低くすること、が有効であるかもしれない。【００１２】
本明細書に開示される実施形態が達成しようとする目的の１つは、Ｕプレーン・トラフィック及びＣプレーン・トラフィックへのリソース割り当ての振る舞いを変更することを基地局又は無線端末に可能とすることに寄与する装置、方法、及びプログラムを提供することである。なお、この目的は、本明細書に開示される複数の実施形態が達成しようとする複数の目的の１つに過ぎないことに留意されるべきである。その他の目的又は課題と新規な特徴は、本明細書の記述又は添付図面から明らかにされる。
【課題を解決するための手段】
【００１３】
第１の態様では、無線アクセスネットワークノードは、メモリと、前記メモリに結合された少なくとも１つのプロセッサとを含む。前記少なくとも１つのプロセッサは、所定のイベントに応答して、前記無線アクセスネットワークノードと第１の無線端末との間での制御メッセージの送信に使用される前記第１の無線端末の少なくとも１つの制御論理チャネルの優先度パラメータを初期値から低減するよう構成されている。前記優先度パラメータは、前記無線アクセスネットワークノード及び前記第１の無線端末の少なくとも一方における前記第１の無線端末の複数の論理チャネルの間の優先度ハンドリングに影響する。前記複数の論理チャネルは、前記少なくとも１つの制御論理チャネル、及び前記第１の無線端末のユーザデータの送信に使用される前記第１の無線端末の少なくとも１つのデータ論理チャネルを含む。【００１４】
第２の態様では、無線アクセスネットワークノードにおける方法は、（ａ）所定のイベントの発生を判定すること、及び（ｂ）前記所定のイベントに応答して、前記無線アクセスネットワークノードと第１の無線端末との間での制御メッセージの送信に使用される前記第１の無線端末の少なくとも１つの制御論理チャネルの優先度パラメータを初期値から低減すること、を含む。【００１５】
第３の態様では、無線端末は、メモリと、前記メモリに結合された少なくとも１つのプロセッサとを含む。前記少なくとも１つのプロセッサは、前記無線端末と無線アクセスネットワークノードとの間での制御メッセージの送信に使用される少なくとも１つの制御論理チャネルの優先度パラメータを初期値から低減することを示す制御メッセージを前記無線アクセスネットワークノードから受信するよう構成されている。さらに、前記少なくとも１つのプロセッサは、前記低減された優先度パラメータを前記無線端末における前記無線端末の複数の論理チャネルの間の優先度ハンドリングに適用するよう構成されている。【００１６】
第４の態様では、無線端末における方法は、（ａ）前記無線端末と無線アクセスネットワークノードとの間での制御メッセージの送信に使用される少なくとも１つの制御論理チャネルの優先度パラメータを初期値から低減することを示す制御メッセージを前記無線アクセスネットワークノードから受信すること、及び（ｂ）前記低減された優先度パラメータを前記無線端末における前記無線端末の複数の論理チャネルの間の優先度ハンドリングに適用すること、を含む。【００１７】
第５の態様では、ネットワークノードは、メモリと、前記メモリに結合された少なくとも１つのプロセッサとを含む。前記少なくとも１つのプロセッサは、第１の制御メッセージを基地局に送信するよう構成されている。前記第１の制御メッセージは、前記基地局と第１の無線端末との間での制御メッセージの送信に使用される前記第１の無線端末の少なくとも１つの制御論理チャネルの優先度パラメータを初期値から低減するよう前記基地局をトリガーする。【００１８】
第６の態様では、ネットワークノードにおける方法は、第１の制御メッセージを基地局に送信することを含む。前記第１の制御メッセージは、前記基地局と第１の無線端末との間での制御メッセージの送信に使用される前記第１の無線端末の少なくとも１つの制御論理チャネルの優先度パラメータを初期値から低減するよう前記基地局をトリガーする。【００１９】
第７の態様では、プログラムは、コンピュータに読み込まれた場合に、上述の第２、第４、又は第６の態様に係る方法をコンピュータに行わせるための命令群（ソフトウェアコード）を含む。
【発明の効果】
【００２０】
上述の態様によれば、Ｕプレーン・トラフィック及びＣプレーン・トラフィックへのリソース割り当ての振る舞いを変更することを基地局又は無線端末に可能とすることに寄与する装置、方法、及びプログラムを提供できる。
【図面の簡単な説明】
【００２１】
【図１】いくつかの実施形態に係るモバイル通信ネットワークの構成例を示す図である。
【図２】第１の実施形態に係るeNBの動作の一例を示すフローチャートである。
【図３】第１の実施形態に係るUE及びeNBの動作の一例を示すシーケンス図である。
【図４】第１の実施形態に係るUEの動作の一例を示すフローチャートである。
【図５】第１の実施形態に係るeNBの構成例を示すブロック図である。
【図６】第１の実施形態に係るUEの構成例を示すブロック図である。
【図７】第２の実施形態に係るeNB及びネットワークノードの動作の一例を示すシーケンス図である。
【図８】第２の実施形態に係るネットワークノードの動作の一例を示すフローチャートである。
【図９】第２の実施形態に係るeNB及びネットワークノードの動作の一例を示すシーケンス図である。
【図１０】幾つかの実施形態に係るeNBの構成例を示す図である。
【図１１】幾つかの実施形態に係るUEの構成例を示す図である。
【図１２】幾つかの実施形態に係るネットワークノードの構成例を示す図である。
【発明を実施するための形態】
【００２２】
以下では、具体的な実施形態について、図面を参照しながら詳細に説明する。各図面において、同一又は対応する要素には同一の符号が付されており、説明の明確化のため、必要に応じて重複説明は省略される。
【００２３】
以下に示される複数の実施形態は、LTEを主な対象として説明される。しかしながら、これらの実施形態は、LTEに限定されるものではなく、他のモバイル通信ネットワーク又はシステム、例えば3rd Generation Partnership Project (3GPP) Universal Mobile Telecommunications System（UMTS）、3GPP2 CDMA2000システム、Global System for Mobile communications（GSM（登録商標））/ General packet radio service（GPRS）システム、WiMAXシステム、又はモバイルWiMAXシステム等に適用されてもよい。
【００２４】
＜第１の実施形態＞
図１は、本実施形態を含む幾つかの実施形態に係るモバイル通信ネットワークの構成例を示している。図１の例では、モバイル通信ネットワークは、UE１及びeNB２を含む。eNB２は、無線アクセスネットワーク（Radio Access Network（RAN））に配置され、RANに接続する複数のUE１と通信し、これらUEs１のための無線リソース管理を提供するよう構成されている。無線リソース管理は、例えば、各UE１との無線接続（e.g., Radio Resource Control（RRC）コネクション）の確立・修正・解放、各UE１のダウンリンク送信及びアップリンク送信のスケジューリング（無線リソースの割り当て）、及び各UE１のハンドオーバの制御を含む。図１に示されたeNB２は、マクロセル基地局であってもよいし、フェムトセル基地局であってもよい。
【００２５】
図１に示されたeNB２は、Centralized Radio Access Network（C-RAN）アーキテクチャで使用されるBaseband Unit（BBU）であってもよい。言い換えると、図１に示されたeNB２は、１又は複数のRemote Radio Head（RRH）に接続されるRANノードであってもよい。幾つかの実装において、BBUとしてのeNB２は、コアネットワーク（Evolved Packet Core（EPC））に接続されるとともに、無線リソース管理を含むコントロールプレーン処理とユーザプレーンのデジタルベースバンド信号処理とを担当する。一方、RRUは、アナログRadio Frequency（RF）信号処理（e.g., 周波数変換および信号増幅）を担当する。C-RANは、Cloud RANと呼ばれることもある。BBUは、Radio Equipment Controller（REC）又はData Unit（DU）と呼ばれることもある。RRHは、Radio Equipment（RE）、Radio Unit（RU）、又はRemote Radio Unit（RRU）と呼ばれることもある。
【００２６】
さらに、ベースバンド信号処理の一部をリモートサイトに配置するC-RANアーキテクチャも存在する。幾つかの実装では、レイヤ１（物理レイヤ）のベースバンド信号処理がリモートサイトに配置され、レイヤ２（MACサブレイヤ、RLCサブレイヤ、及びPacket Data Convergence Protocol（PDCP）サブレイヤ）及びレイヤ３信号処理がセントラルサイトに配置されてもよい。幾つかの実装では、レイヤ１並びにレイヤ２の一部又は全部の信号処理がリモートサイトに配置され、レイヤ３信号処理がセントラルサイト内に配置されてもよい。図１に示されたeNB２は、これらのC-RANアーキテクチャにおいてセントラルサイトに配置されるデータユニットであってもよい。
【００２７】
以下では、本実施形態に係るeNB２の動作の詳細について説明する。図２は、eNB２の動作の一例（処理２００）を示すフローチャートである。ステップ２０１では、eNB２は、所定のイベントの発生を判定（検出）する。所定のイベントの発生は、ステップ２０１及び２０３の処理の実行をeNB２にトリガーする。幾つかの実装において、所定のイベントは、少なくとも１つのデータ論理チャネル（i.e., DRB）を使用したユーザデータ送信の促進が必要であることをeNB２において判定したことであってもよい。さらに又はこれに代えて、所定のイベントは、少なくとも１つの制御論理チャネル（i.e., SRB）へのリソース割り当ての低減が必要であることをeNB２において判定したことであってもよい。
【００２８】
幾つかの実装において、所定のイベントは、他のネットワークノードからの制御メッセージの受信であってもよい。他のネットワークノードは、コアネットワーク（EPC）内の制御ノード（e.g., Mobility Management Entity（MME））であってもよい。他のネットワークノードは、モバイル・エッジ・コンピューティング（Mobile Edge Computing （MEC））サーバであってもよい。European Telecommunications Standards Institute（ETSI）は、MECの標準化を開始している。MECサーバは、RANノードと統合して配置される。具体的には、MECサーバは、3GPP eNodeBサイト、3G Radio Network Controller（RNC）サイト、又はmulti-technologyセル集約（cell aggregation）サイトに配置されることができる。
【００２９】
本実施形態では、MECサーバは、eNB２と直接的に（つまり、コアネットワーク（EPC））を介さずに）通信できるようにRAN内に配置されてもよい。MECサーバは、エッジサーバと呼ぶこともできる。MECサーバは、１又は複数のUE１に向けたサービス又はアプリケーションに関するエッジ・コンピューティングのためにコンピューティング・リソース及びストレージ・リソース（ストレージ容量（capacity））のうち少なくとも１つを提供するよう構成される。幾つかの実装において、MECサーバは、MECアプリケーションのためのホスティング環境を提供してもよい。MECサーバは、さらに、コアネットワークの一部の機能を有してもよい。例えば、MECサーバは、Serving Gateway（S-GW）またはS/P-GWの機能を有し、MECを利用するUE１のEPSベアラを終端してもよい。MECのアーキテクチャは、Network Function Virtualization（NFV）のアーキテクチャと類似している。したがって、MECサーバは、MECアプリケーションをホストするだけでなく、仮想化された（virtualized）S/P-GW（vS/P-GW）を含むネットワーク機能をホストしてもよい。
【００３０】
図２のステップ２０２では、eNB２は、所定のイベントに応答して、特定のUE１の論理チャネル（SRB(s)）の優先度パラメータ（e.g., 優先度若しくはPBR又は両方）を初期値（規定値）から低減する。論理チャネル（SRB(s)）の優先度パラメータの低減処理は、１つのUE１の少なくとも１つの制御論理チャネルに対して行われてもよい。これに代えて、当該処理は、複数のUE（i.e., UEグループ）単位で実行されてもよい。例えば、当該処理は、特定のUE種別を持つ複数のUEに対して行われてもよい。
【００３１】
ステップ２０３では、eNB２は、低減された優先度パラメータを特定のUE１の論理チャネル（SRB(s)）に適用して、特定のUE１の複数の論理チャネル（RBs）の間の優先度を取り扱う。複数の論理チャネルは、少なくとも１つの制御論理チャネル（SRB）及び少なくとも１つのデータ論理チャネル（DRB）を含む。
【００３２】
各制御論理チャネルは、UE１とeNB２との間での制御メッセージの送信に使用される。当該制御メッセージは、UE１とeNB２との間での無線リソース制御に使用されてもよいし、UE１とコアネットワークとの間で送信されるNASメッセージの転送に使用されてもよい。具体的には、当該制御メッセージは、RRCメッセージであってもよい。当該RRCメッセージは、NASメッセージを運ぶRRCメッセージであってもよい。一方、各データ論理チャネルは、いずれかのUE１のユーザデータの送信に使用される。例えば、eNB２は、SRB1の優先度若しくはPBR又は両方を初期値（規定値）から低減してもよい。さらに又はこれに代えて、eNB２は、SRB2の優先度若しくはPBR又は両方を初期値（規定値）から低減してもよい。
【００３３】
論理チャネルの優先度パラメータは、UE１及びeNB２の少なくとも一方における論理チャネル間の優先度ハンドリングにおいて考慮される。例えば、論理チャネルの優先度パラメータは、優先度若しくはprioritized bit rate（PBR）又は両方を含んでもよい。さらに又はこれに代えて、論理チャネルの優先度パラメータは、PBR及びbucket size duration（BSD）を含んでもよい。
【００３４】
いくつかの実装において、eNB２は、複数のUE１へのULリソース又はDLリソースのスケジューリングにおいて、論理チャネルの優先度及びPBRを考慮してもよい。例えば、eNB２内のスケジューラは、時間ドメイン・スケジューリングにおいて、複数のUE１を優先度付けし（prioritize）、各送信ピリオド（e.g., LTEサブフレーム）にスケジュールされる１又はそれ以上のUE１を選択してもよい。eNB２内のスケジューラは、複数のUE１を優先度付けする際に使用される各UE１の優先度関連メトリックを計算するために、各UE１の１又はそれ以上の論理チャネルの優先度パラメータを使用してもよい。例えば、eNB２内のスケジューラは、その論理チャネルの送信レートがPBRを下回るUE１を現在の送信ピリオドにスケジュールされるために優先的に選択してもよい。
【００３５】
幾つかの実装において、UE１は、ULトランスポートブロック（i.e., UL MAC PDU）を生成するためのLogical Channel Prioritization（LCP）手順において論理チャネルの優先度パラメータ（e.g., 優先度若しくはPBR又は両方）を考慮してもよい。同様に、幾つかの実装において、eNB２は、DLトランスポートブロック（i.e., DLMAC PDU）を生成するためのLogical Channel Prioritization（LCP）手順において論理チャネルの優先度パラメータ（e.g., 優先度若しくはPBR又は両方）を考慮してもよい。
【００３６】
図３は、UE１及びeNB２の動作の一例（処理３００）を示すシーケンス図である。ステップ３０１では、eNB２は、少なくとも１つの制御論理チャネル（SRB）に割り当てられる低減された優先度パラメータ（e.g., 優先度若しくはPBR又は両方）を示すRRCメッセージをUE１に送信する。図３に示されるように、当該RRCメッセージは、RRC CONNECTION RECONFIGURATIONメッセージであってもよい。UE１は、当該RRCメッセージの受信に応答して、LCP手順における少なくとも１つの制御論理チャネル（SRB）の優先度パラメータを更新する。
【００３７】
図４は、UE１の動作の一例（処理４００）を示すフローチャートである。ステップ４０１では、UE１は、少なくとも１つの制御論理チャネル（SRB）に割り当てられる低減された優先度パラメータ（e.g., 優先度若しくはPBR又は両方）を示すRRCメッセージをeNB２から受信する。ステップ４０２では、UE１は、低減された優先度パラメータをSRB(s)に適用し、ULトランスポートブロックを生成するためのLCP手順を実行する。
【００３８】
図５は、DL送信に関係するeNB２の構成例を示すブロック図である。RRCレイヤ（RRCモジュール）５０１は、特定のUE１の少なくとも１つの制御論理チャネル（e.g., SRB0（CCCH）、SRB1（DCCH）、又はSRB2（DCCH））の優先度若しくはPBR又は両方の低減を決定し、低減された優先度若しくは低減されたPBR又は両方をMACサブレイヤ（MACモジュール）５０２に設定する。
【００３９】
MACサブレイヤ５０２は、コントローラ５０３、DLスケジューラ５０４、マルチプレクサ５０５、及びHybrid Automatic Repeat reQuest（HARQ）エンティティ５０６を含む。なお、図５は、１つのUE１のためのマルチプレクサ５０５及びHARQエンティティ５０６のみを図示しているが、MACサブレイヤ５０２は、複数のUE１に対応する複数のマルチプレクサ５０５及びHARQエンティティ５０６を有する。
【００４０】
コントローラ５０３は、RRCレイヤ５０１と通信し、特定のUE１の少なくとも１つの制御論理チャネル（e.g., SRB0（CCCH）、SRB1（DCCH）、SRB2（DCCH））に割りてられる低減された優先度若しくは低減されたPBR又は両方をRRCレイヤ５０１から受信する。コントローラ５０３は、受信した優先度及びPBRをDLスケジューラ５０４に設定する。
【００４１】
DLスケジューラ５０４は、各UE１の１又はそれ以上のDL論理チャネルのバッファ状態及びDLチャネルの品質状態に少なくとも部分的に基づいて、現在の送信ピリオド（i.e., サブフレーム）における複数のUEs１のDL送信をスケジュールする。DLチャネルの品質状態は、各UE１からのChannel Quality Information（CQI）報告から得られる。DLスケジューラ５０４は、他の情報及び制約（constraints）をDLスケジューリングのために考慮してもよい。例えば、DLスケジューラ５０４は、各UE１に設定された論理チャネルの優先度、各UE１に設定された論理チャネルのQoS要件（e.g., PBR）を考慮してもよい。このとき、DLスケジューラ５０４は、特定のUE１の制御論理チャネルのために上述の低減された優先度若しくは低減されたPBR又は両方を用いてもよい。例えば、低減された優先度若しくは低減されたPBR又は両方は、特定のUE１のスケジューリング・メトリックを計算する際に、ウェイト因子（weight factor）として使用されてもよい。
【００４２】
さらに、DLスケジューラ５０４は、特定のUE１のDLトランスポートブロック（i.e., DLMAC PDU）を生成するためのLCP手順において、低減された優先度若しくは低減されたPBR又は両方を制御論理チャネルに適用してもよい。DLのLCP手順は、ULのLCPの手順と同様であってもよい。LCPの結果は、特定のUE１のためのマルチプレクサ５０５によってDLトランスポートブロックを生成するために使用される。
【００４３】
マルチプレクサ５０５は、現在の送信ピリオドで送信されるためのトランスポートブロック（i.e., MAC PDU）を、DLスケジューラ５０４によるLCPの結果に従って生成する。HARQエンティティ５０６は、送信HARQ動作を担う。送信HARQ動作は、トランスポートブロックの送信及び再送信、並びにACK/NACKシグナリングの受信及び処理を含む。
【００４４】
図６は、UL送信に関係するUE１の構成例を示すブロック図である。RRCレイヤ（RRCモジュール）６０１は、少なくとも１つの制御論理チャネル（e.g., SRB0（CCCH）、SRB1（DCCH）、又はSRB2（DCCH））の低減された優先度若しくは低減されたPBR又は両方を示すRRCメッセージをeNB２のRRCレイヤ５０１から受信する。UE１のRRCレイヤ６０１は、低減された優先度若しくは低減されたPBR又は両方をMACサブレイヤ（MACモジュール）６０２に設定する。
【００４５】
MACサブレイヤ６０２は、コントローラ６０３、LCPエンティティ６０４、マルチプレクサ６０５、及びHybrid Automatic Repeat reQuest（HARQ）エンティティ６０６を含む。コントローラ６０３は、RRCレイヤ６０１と通信し、少なくとも１つの制御論理チャネル（e.g., SRB0（CCCH）、SRB1（DCCH）、又はSRB2（DCCH））に割りてられる低減された優先度若しくは低減されたPBR又は両方をRRCレイヤ６０１から受信する。コントローラ６０３は、受信した優先度及びPBRをLCPエンティティ６０４に設定する。
【００４６】
LCPエンティティ６０４は、コントローラ６０３により設定された各論理チャネルの優先度及びPBRに従ってLCP手順を実行する。マルチプレクサ６０５は、LCP結果に従って複数の論理チャネルからのデータセグメント（i.e., RLC PDUs）を多重化し、１つのトランスポートブロック（i.e., MAC PDU）を生成する。HARQエンティティ６０６は、送信HARQ動作を担う。送信HARQ動作は、トランスポートブロックの送信及び再送信、並びにACK/NACKシグナリングの受信及び処理を含む。
【００４７】
既に説明したように、既存のLTEでは、SRB0（CCCH）、SRB1（DCCH）、及びSRB2（DCCH）の優先度パラメータ（e.g., 優先度若しくはPBR又は両方）は規定値（初期値）にセットされる。すなわちSRB0（CCCH）、SRB1（DCCH）、及びSRB2（DCCH）の優先度の規定値は、それぞれ１、１、及び３である。優先度の値は、１〜１６の整数であり、値が小さいほど高い優先度を表す。SRB0（CCCH）、SRB1（DCCH）、及びSRB2（DCCH）のPBRの規定値は、いずれも“無限（infinity）”である。論理チャネル（無線ベアラ）のPBRが“infinity”にセットされている場合、UE１のMACエンティティは、より低い優先度の論理チャネルのPBRに対処する（meeting）前に、当該論理チャネルの送信可能な全てのデータにリソースを割り当てる。
【００４８】
これに対して、以上の説明から理解されるように、本実施形態に係るeNB２は、特定のUE１の少なくとも１つの制御論理チャネル（SRB）の優先度パラメータ（e.g., 優先度若しくはPBR又は両方）を規定値（初期値）から低減するよう構成されている。例えば、eNB２は、特定のUE１の少なくとも１つの制御論理チャネル（SRB）の優先度が少なくとも１つのデータ論理チャネル（DRB）の優先度と同じかそれより低くなるように、少なくとも１つの制御論理チャネル（SRB）の優先度を更新してもよい。これにより、eNB２は、Ｃプレーン・トラフィック（i.e., RRCメッセージ、NASメッセージ）を減らすことができる。あるいは、eNB２は、Ｕプレーン・トラフィックへのリソース割り当てを促進できる。
【００４９】
より具体的には、eNB２は、特定のUE１の少なくとも１つの制御論理チャネル（SRB）の優先度を、当該特定のUE１に設定された１又はそれ以上のデータ論理チャネル（DRBs）の優先度のうち最も小さい値（i.e., 最高優先度）と同じにしてもよい。これにより、当該特定のUE１のＣプレーン・トラフィックを当該特定のUE１のＵプレーン・トラフィックの優先度に応じて取り扱うことができる。
【００５０】
さらに又はこれに代えて、eNB２は、特定のUE１の少なくとも１つの制御論理チャネル（SRB）のPBRを有限値（e.g., kBps0、kBps8、kBps16、kBps32、kBps64、kBps128、又はkBps256）にセットしてもよい。値kBps0は０キロバイト／秒に対応し、kBps8は８キロバイト／秒に対応し、kBps16は１６キロバイト／秒に対応し、他も同様である。SRBのPBRが有限値にセットされることで、LCP手順の第１ラウンドにおいて当該SRBに割り当てられるリソースを制限できる。したがって、SRBのPBRを有限値にセットすることは、Ｃプレーン・トラフィックへのリソース割り当ての低減、又はＵプレーン・トラフィックへのリソース割り当ての促進に寄与できる。
【００５１】
eNB２は、SRB1（DCCH）若しくはSRB2（DCCH）又は両方の優先度を低減してもよい。SRB1は、多くのRRCメッセージの送信に使用される。したがって、SRB1の優先度を下げることは、eNB２が処理すべきＣプレーン・トラフィック（i.e., RRCメッセージ）を減らすことに寄与できる。一方、SRB2は、主にNASメッセージの送信に使用される。したがって、SRB2の優先度を下げることは、コアネットワークが処理すべきＣプレーン・トラフィック（i.e., NASメッセージ）を減らすことに寄与できる。
【００５２】
eNB２は、SRB0（CCCH）の優先度を低減してもよい。SRB0及びCCCHは、RRCコネクションの確立又は再確立のためのRRCメッセージを送信するために使用される。これらのRRCメッセージは、RRC Connection Request（UL）、RRC Connection Reestablishment Request（UL）、RRC Connection Setup（DL）、RRC Connection Reject（DL）、RRC Connection Re-establishment（DL）、及びRRC Connection Reestablishment reject（DL）を含む。例えば、eNB２は、あるUE１のデータ送信を優先するために、他のUE１のSRB0の優先度を低減してもよい。この場合、eNB２は、低減されたSRB0の優先度を、複数のUE１へのリソース割り当てのためのスケジューリングにおいて考慮してもよい。
【００５３】
eNB２は、特定のRRCメッセージ又は特定のNASメッセージの送信のみに使用される特定の制御論理チャネル（SRB）を特定のUE１との間に設定してもよい。そして、eNB２は、当該特定の制御論理チャネルの優先度若しくはPBR又は両方を規定値から低減してもよい。一例において、特定の制御論理チャネルは、遅延が比較的許容される特定のRRCメッセージ又は特定のNASメッセージの送信に使用されてもよい。これにより、遅延が比較的許容される特定のＣプレーン・トラフィックの優先度又はPBRを選択的に低減することができる。あるいは、特定の制御論理チャネルは、データサイズが大きい又は送信頻度の高い特定のRRCメッセージ又は特定のNASメッセージの送信に使用されてもよい。これにより、UE１、eNB２、又はコアネットワークの負荷の低減に寄与することができ、且つ無線リソース割り当ての公平性の向上に寄与できる。
【００５４】
例えば、特定の制御論理チャネルは、ハンドオーバ指示（Handover command）を包含するRRCメッセージを送信するために使用されてもよい。これに代えて、特定の制御論理チャネルは、特定のNASメッセージ（e.g., Attach Request（UL）、Detach Request（UL）、Detach Accept（UL）、Service Request（UL）、Tracking Area Update (TAU) Request（UL）、TAU Complete（UL）、Detach Request（DL）、Detach Accept（DL）、Service Reject（DL）、又はTAU Accept（DL））を送信するために使用されてもよい。これに代えて、特定の制御論理チャネルは、特定のRRCメッセージ（e.g., RRC Connection Release（DL）、DL Information Transfer（DL）、又はUL Information Transfer（UL））を送信するために使用されてもよい。
【００５５】
UE１及びeNB２の少なくとも一方は、低減された優先度パラメータ（e.g., 優先度若しくはPBR又は両方）を特定のRRC又はNASメッセージのみに対して選択的に適用するために以下のように動作してもよい。いくつかの実装において、eNB２のMACレイヤ内のモジュール（e.g., ULスケジューラ、DLスケジューラ、又はマルチプレクサ）は、各制御論理チャネル（e.g., SRB0、SRB1、又はDRB2）の送信バッファ内に格納されているデータセグメント（i.e.., RLC PDU）を検査し、特定のRRC又はNASメッセージを包含する特定のデータセグメントを検出する。eNB２は、特定のデータセグメントを検出するために、送信バッファから受信したデータセグメントを検査してもよい。データセグメントの検査は、既存のDeep Packet Inspection（DPI）又はこれに類似する手法を使用して行われてもよい。そして、eNB２は、低減された優先度パラメータ（e.g., 優先度若しくはPBR又は両方）を、検出された特定のデータセグメントにのみ選択的に適用する。
【００５６】
UE１もeNB２と同様に動作してもよい。すなわち、UE１のMACレイヤ内のモジュール（e.g., コントローラ、LCPエンティティ、又はマルチプレクサ）は、各制御論理チャネル（e.g., SRB0、SRB1、又はDRB2）の送信バッファ内に格納されているデータセグメント（i.e.., RLC PDU）を検査し、特定のRRC又はNASメッセージを包含する特定のデータセグメントを検出する。そして、UE１は、低減された優先度パラメータ（e.g., 優先度若しくはPBR又は両方）を、検出された特定のデータセグメントにのみ選択的に適用する。
【００５７】
＜第２の実施形態＞
本実施形態では、第１の実施形態で説明されたeNB２の動作の変形例が説明される。本実施形態のモバイル通信ネットワークの構成例は、図１と同様である。本実施形態では、eNB２は、他のネットワークノード３からの制御メッセージの受信に応答して、特定のUE１の少なくとも１つの制御論理チャネルの優先度パラメータ（e.g., 優先度若しくはPBR又は両方）を変更する。第１の実施形態で既に説明したように、ネットワークノード３は、コアネットワーク（EPC）内の制御ノード（e.g., MME）であってもよいし、MECサーバであってもよい。
【００５８】
図７は、eNB２及びネットワークノード３の動作の一例（処理７００）を示すシーケンス図である。ステップ７０１では、ネットワークノード３は、制御メッセージをeNB２に送信する。当該制御メッセージは、RRCメッセージの送信に使用される特定のUE１の少なくとも１つの制御論理チャネル（e.g., SRB0（CCCH）、SRB1（DCCH）、又はSRB2（DCCH））の優先度パラメータ（e.g., 優先度若しくはPBR又は両方）を規定値（初期値）から低減するようにeNB２をトリガーする。少なくとも１つの制御論理チャネルは、UE１とeNB２との間での制御メッセージの送信に使用される。当該制御メッセージは、RRCメッセージであってもよい。当該RRCメッセージは、NASメッセージを運ぶRRCメッセージであってもよい。eNB２は、ネットワークノード３からの制御メッセージの受信に応答して、特定のUE１の制御論理チャネルの優先度パラメータを更新する。
【００５９】
いくつかの実装において、eNB２は、ネットワークノード３からの制御メッセージの受信に応答して、特定のUE１の制御論理チャネルの低減された優先度パラメータ（e.g., 優先度若しくはPBR又は両方）を決定してもよい。この場合、図７に示されるように、当該制御メッセージは、特定のUE１のＣプレーン・トラフィック（e.g., RRCメッセージ、NASメッセージ）を低減するようにeNB２に要求してもよい。これに代えて、当該制御メッセージは、特定のUE１の少なくとも１つの制御論理チャネルへのリソース割り当てを低減するようにeNB２に要求してもよい。これに代えて、当該制御メッセージは、当該制御メッセージは、特定のUE１の少なくとも１つのデータ論理チャネル（DRB（DTCH））を使用したユーザデータ送信を促進するようにeNB２に要求してもよい。
【００６０】
いくつかの実装において、当該制御メッセージは、特定のUE１の少なくとも１つの制御論理チャネルの低減された優先度パラメータ（e.g., 優先度若しくはPBR又は両方）を明示してもよい。この場合、eNB２は、ネットワークノード３から要求された優先度パラメータの低減を受け入れるか否かを判定してもよい。
【００６１】
いくつかの実装において、当該制御メッセージは、特定のUE１のＣプレーン・トラフィックに対するRAN（i.e., eNB２）における措置（i.e., 制御論理チャネルの優先度若しくはPBR又は両方の低減）が必要とされる期間を指定してもよい。
【００６２】
幾つかの実装において、当該制御メッセージは、１つのUEの識別子、複数のUE（UEグループ）の識別子、又はUE種別の識別子を示してもよい。これらの識別子は、制御論理チャネルの優先度パラメータを変更される１又はそれ以上のUE１を特定するためにeNB２によって使用される。
【００６３】
図８は、ネットワークノード３の動作の一例（処理８００）を示すフローチャートである。ステップ８０１では、ネットワークノード３は、所定のイベントの発生を判定する。所定のイベントの発生は、ステップ８０２の処理の実行をネットワークノード３にトリガーする。ステップ８０２では、ネットワークノード３は特定のUE１の少なくとも１つの制御論理チャネルの優先度パラメータ（e.g., 優先度若しくはPBR又は両方）の低減をトリガーする制御メッセージをeNB２に送信する。
【００６４】
幾つかの実装において、ステップ８０１の所定のイベントは、特定のUE１に関するＣプレーン・メッセージ送信の抑制が必要であることをネットワークノード３において判定したことであってもよい。さらに又はこれに代えて、当該所定のイベントは、特定のUE１に関するユーザデータ送信の促進が必要であることをネットワークノード３において判定したことであってもよい。
【００６５】
いくつかの実装において、ネットワークノード３は、特定のUE１の挙動（behavior）、通信特性、又は使用するサービスに基づいて、当該特定のUE１に関する制御メッセージをeNB２に送信するか否かを決定してもよい。例えば、ネットワークノード３（e.g., MME）は、アタッチ及びデタッチを繰り返すUE１を検出し、当該検出されたUE１に関する制御メッセージをeNB２に送信してもよい。同様に、ネットワークノード３（e.g., MME）は、IDLE状態（ECM-IDLE）及びCONNECTED状態（ECM-CONNECTED）の間の遷移を頻繁に行うUE１を検出し、当該検出されたUE１に関する制御メッセージをeNB２に送信してもよい。あるいは、ネットワークノード３（e.g., MECサーバ）は、ユーザデータ送信が優先されることが好ましい所定のMECアプリケーションを使用するUE１を検出し、当該検出されたUE１に関する制御メッセージをeNB２に送信してもよい。
【００６６】
なお、ネットワークノード３は、図９に示されるように、他のネットワークノード４からの制御メッセージ９０１の受信に応答して、上述のeNB２への制御メッセージ（制御メッセージ９０２）を送信してもよい。当該他のネットワークノード４は、例えば、Home Subscriber Server（HSS）、Service Capability Exposure Function（SCEF）エンティティ、又はPolicy and Charging Rule Function（PCRF）エンティティであってもよい。
【００６７】
本実施形態によれば、MME又はMECサーバ等のネットワークノード３が、RAN（i.e., eNB２）内の制御論理チャネル（シグナリング無線ベアラ）の優先度を制御できる。
【００６８】
最後に、上述の複数の実施形態に係るUE１、eNB２、及びネットワークノード３の構成例について説明する。図１０は、eNB２の構成例を示すブロック図である。図１０を参照すると、eNB２は、RFトランシーバ１００１、ネットワークインターフェース１００３、プロセッサ１００４、及びメモリ１００５を含む。RFトランシーバ１００１は、UE１と通信するためにアナログRF信号処理を行う。RFトランシーバ１００１は、複数のトランシーバを含んでもよい。RFトランシーバ１００１は、アンテナ１００２及びプロセッサ１００４と結合される。幾つかの実装において、RFトランシーバ１００１は、変調シンボルデータ（又はOFDMシンボルデータ）をプロセッサ１００４から受信し、送信RF信号を生成し、送信RF信号をアンテナ１００２に供給する。また、RFトランシーバ１００１は、アンテナ１００２によって受信された受信ＲＦ信号に基づいてベースバンド受信信号を生成し、これをプロセッサ１００４に供給する。なお、上述したように、eNB２は、C-RANアーキテクチャで使用されるBBU（REC）であってもよい。この場合、eNB２は、RFトランシーバ１００１を有していなくてもよい。
【００６９】
ネットワークインターフェース１００３は、ネットワークノード（e.g., MME、S/P-GW、MECサーバ）と通信するために使用される。ネットワークインターフェース１００３は、例えば、IEEE 802.3 seriesに準拠したネットワークインターフェースカード（NIC）を含んでもよい。
【００７０】
プロセッサ１００４は、無線通信のためのデジタルベースバンド信号処理（データプレーン処理）とコントロールプレーン処理を行う。例えば、LTEおよびLTE-Advancedの場合、プロセッサ１００４によるデジタルベースバンド信号処理は、PDCPレイヤ、RLCレイヤ、MACレイヤ、およびPHYレイヤの信号処理を含んでもよい。また、プロセッサ１００４によるコントロールプレーン処理は、S1プロトコル、RRCプロトコル、及びMAC CEの処理を含んでもよい。
【００７１】
プロセッサ１００４は、複数のプロセッサを含んでもよい。例えば、プロセッサ１００４は、デジタルベースバンド信号処理を行うモデム・プロセッサ（e.g., DSP）とコントロールプレーン処理を行うプロトコルスタック・プロセッサ（e.g., CPU又はMPU）を含んでもよい。
【００７２】
メモリ１００５は、揮発性メモリ及び不揮発性メモリの組み合わせによって構成される。揮発性メモリは、例えば、SRAM若しくはDRAM又はこれらの組み合わせである。不揮発性メモリは、例えば、MROM、PROM、フラッシュメモリ、若しくはハードディスクドライブ、又はこれらの組合せである。メモリ１００５は、プロセッサ１００４から離れて配置されたストレージを含んでもよい。この場合、プロセッサ１００４は、ネットワークインターフェース１００３又は図示されていないI/Oインタフェースを介してメモリ１００５にアクセスしてもよい。
【００７３】
メモリ１００５は、上述の複数の実施形態で説明されたeNB２による処理を行うための命令群およびデータを含むソフトウェアモジュール（コンピュータプログラム）を格納してもよい。幾つかの実装において、プロセッサ１００４は、当該ソフトウェアモジュールをメモリ１００５から読み出して実行することで、上述の実施形態で図面を用いて説明されたeNB２の処理を行うよう構成されてもよい。
【００７４】
図１０の例では、メモリ１００５は、RRCモジュール１００６、コントローラ・モジュール１００７、及びスケジューラ・モジュール１００８を格納している。プロセッサ１００４は、RRCモジュール１００６、コントローラ・モジュール１００７、及びスケジューラ・モジュール１００８を読み出して実行することで、図５に示されたRRCレイヤ５０１、コントローラ５０３、及びDLスケジューラ５０４として動作することができる。
【００７５】
図１１は、UE１の構成例を示すブロック図である。Radio Frequency（RF）トランシーバ１１０１は、eNB２と通信するためにアナログRF信号処理を行う。RFトランシーバ１１０１により行われるアナログRF信号処理は、周波数アップコンバージョン、周波数ダウンコンバージョン、及び増幅を含む。RFトランシーバ１１０１は、アンテナ１１０２及びベースバンドプロセッサ１１０３と結合される。すなわち、RFトランシーバ１１０１は、変調シンボルデータ（又はOFDMシンボルデータ）をベースバンドプロセッサ１１０３から受信し、送信RF信号を生成し、送信RF信号をアンテナ１１０２に供給する。また、RFトランシーバ１１０１は、アンテナ１１０２によって受信された受信ＲＦ信号に基づいてベースバンド受信信号を生成し、これをベースバンドプロセッサ１１０３に供給する。
【００７６】
ベースバンドプロセッサ１１０３は、無線通信のためのデジタルベースバンド信号処理（データプレーン処理）とコントロールプレーン処理を行う。デジタルベースバンド信号処理は、(a) データ圧縮／復元、(b) データのセグメンテーション／コンカテネーション、(c) 伝送フォーマット（伝送フレーム）の生成／分解、(d) 伝送路符号化／復号化、(e) 変調（シンボルマッピング）／復調、及び(f) Inverse Fast Fourier Transform（IFFT）によるOFDMシンボルデータ（ベースバンドOFDM信号）の生成などを含む。一方、コントロールプレーン処理は、レイヤ１（e.g., 送信電力制御）、レイヤ２（e.g., 無線リソース管理、及びhybrid automatic repeat request（HARQ）処理）、及びレイヤ３（e.g., アタッチ、モビリティ、及び通話管理に関するシグナリング）の通信管理を含む。
【００７７】
例えば、LTEの場合、ベースバンドプロセッサ１１０３によるデジタルベースバンド信号処理は、Packet Data Convergence Protocol（PDCP）レイヤ、Radio Link Control（RLC）レイヤ、Medium Access Control（MAC）レイヤ、およびPhysical（PHY）レイヤの信号処理を含んでもよい。また、ベースバンドプロセッサ１１０３によるコントロールプレーン処理は、Non-Access Stratum（NAS）プロトコル、RRCプロトコル、及びMAC Control Element（MAC CE）の処理を含んでもよい。
【００７８】
ベースバンドプロセッサ１１０３は、デジタルベースバンド信号処理を行うモデム・プロセッサ（e.g., Digital Signal Processor（DSP））とコントロールプレーン処理を行うプロトコルスタック・プロセッサ（e.g., Central Processing Unit（CPU）、又はMicro Processing Unit（MPU））を含んでもよい。この場合、コントロールプレーン処理を行うプロトコルスタック・プロセッサは、後述するアプリケーションプロセッサ１１０４と共通化されてもよい。
【００７９】
アプリケーションプロセッサ１１０４は、CPU、MPU、マイクロプロセッサ、又はプロセッサコアとも呼ばれる。アプリケーションプロセッサ１１０４は、複数のプロセッサ（複数のプロセッサコア）を含んでもよい。アプリケーションプロセッサ１１０４は、メモリ１１０６又は図示されていないメモリから読み出されたシステムソフトウェアプログラム（Operating System（OS））及び様々なアプリケーションプログラム（例えば、通話アプリケーション、WEBブラウザ、メーラ、カメラ操作アプリケーション、音楽再生アプリケーション）を実行することによって、UE１の各種機能を実現する。
【００８０】
いくつかの実装において、図１１に破線（１１０５）で示されているように、ベースバンドプロセッサ１１０３及びアプリケーションプロセッサ１１０４は、１つのチップ上に集積されてもよい。言い換えると、ベースバンドプロセッサ１１０３及びアプリケーションプロセッサ１１０４は、１つのSystem on Chip（SoC）デバイス１１０５として実装されてもよい。SoCデバイスは、システムLarge Scale Integration（LSI）またはチップセットと呼ばれることもある。
【００８１】
メモリ１１０６は、揮発性メモリ若しくは不揮発性メモリ又はこれらの組合せである。メモリ１１０６は、物理的に独立した複数のメモリデバイスを含んでもよい。揮発性メモリは、例えば、Static Random Access Memory（SRAM）若しくはDynamic RAM（DRAM）又はこれらの組み合わせである。不揮発性メモリは、マスクRead Only Memory（MROM）、Electrically Erasable Programmable ROM（EEPROM）、フラッシュメモリ、若しくはハードディスクドライブ、又はこれらの任意の組合せである。例えば、メモリ１１０６は、ベースバンドプロセッサ１１０３、アプリケーションプロセッサ１１０４、及びSoC１１０５からアクセス可能な外部メモリデバイスを含んでもよい。メモリ１１０６は、ベースバンドプロセッサ１１０３内、アプリケーションプロセッサ１１０４内、又はSoC１１０５内に集積された内蔵メモリデバイスを含んでもよい。さらに、メモリ１１０６は、Universal Integrated Circuit Card（UICC）内のメモリを含んでもよい。
【００８２】
メモリ１１０６は、上述の複数の実施形態で説明されたUE１による処理を行うための命令群およびデータを含む１又は複数のソフトウェアモジュール（コンピュータプログラム）を格納してもよい。いくつかの実装において、ベースバンドプロセッサ１１０３又はアプリケーションプロセッサ１１０４は、当該１又は複数のソフトウェアモジュールをメモリ１１０６から読み出して実行することで、上述の実施形態で説明されたUE１の処理を行うよう構成されてもよい。
【００８３】
図１１の例では、メモリ１１０６は、RRCモジュール１１０７、コントローラ・モジュール１１０８、及びLCPモジュール１１０９を格納している。ベースバンドプロセッサ１１０３又はアプリケーションプロセッサ１１０４は、RRCモジュール１１０７、コントローラ・モジュール１１０８、及びLCPモジュール１１０９を読み出して実行することで、図６に示されたRRCレイヤ６０１、コントローラ６０３、及びLCPエンティティ６０４として動作することができる。
【００８４】
図１２は、ネットワークノード３の構成例を示すブロック図である。ネットワークノード４も図１２に示された構成と同様の構成を有してもよい。図１２を参照すると、ネットワークノード３は、ネットワークインターフェース１２０１、プロセッサ１２０２、及びメモリ１２０３を含む。ネットワークインターフェース１２０１は、eNB２及び他のネットワークノードと通信するために使用される。ネットワークインターフェース１２０１は、例えば、IEEE 802.3 seriesに準拠したネットワークインタフェースカード（NIC）を含んでもよい。
【００８５】
プロセッサ１２０２は、メモリ１２０３から１又は複数のソフトウェアモジュール（コンピュータプログラム）１２０４を読み出して実行することで、上述の実施形態において説明されたネットワークノード３の処理を行う。プロセッサ１２０２は、例えば、マイクロプロセッサ、MPU、又はCPUであってもよい。プロセッサ１２０２は、複数のプロセッサを含んでもよい。
【００８６】
メモリ１２０３は、揮発性メモリ及び不揮発性メモリの組み合わせによって構成される。メモリ１２０３は、プロセッサ１２０２から離れて配置されたストレージを含んでもよい。この場合、プロセッサ１２０２は、図示されていないI/Oインタフェースを介してメモリ１２０３にアクセスしてもよい。
【００８７】
図１０〜図１２を用いて説明したように、幾つかの実装において、上述の実施形態に係るUE１、eNB２、及びネットワークノード３が有するプロセッサの各々は、図面を用いて説明されたアルゴリズムをコンピュータに行わせるための命令群を含む１又は複数のプログラムを実行する。このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、Compact Disc Read Only Memory（CD-ROM）、CD-R、CD-R/W、半導体メモリ（例えば、マスクROM、Programmable ROM（PROM）、Erasable PROM（EPROM）、フラッシュROM、Random Access Memory（RAM））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００８８】
＜その他の実施形態＞
上述の実施形態は、各々独立に実施されてもよいし、適宜組み合わせて実施されてもよい。
【００８９】
既に説明したように、上述の実施形態は、LTE以外の他のモバイル通信ネットワークに適用されてもよい。例えば、上述の実施形態が3GPP UMTSに適用される場合、eNB２は、RNCであってもよい。
【００９０】
さらに、上述した実施形態は本件発明者により得られた技術思想の適用に関する例に過ぎない。すなわち、当該技術思想は、上述した実施形態のみに限定されるものではなく、種々の変更が可能であることは勿論である。
【００９１】
例えば、上記の実施形態の一部又は全部は、以下の付記のようにも記載され得るが、以下には限られない。
【００９２】
（付記１）
無線アクセスネットワークノードであって、
メモリと、
前記メモリに結合された少なくとも１つのプロセッサと、
を備え、
前記少なくとも１つのプロセッサは、所定のイベントに応答して、前記無線アクセスネットワークノードと第１の無線端末との間での制御メッセージの送信に使用される前記第１の無線端末の少なくとも１つの制御論理チャネルの優先度パラメータを初期値から低減するよう構成され、
前記優先度パラメータは、前記無線アクセスネットワークノード及び前記第１の無線端末の少なくとも一方における前記第１の無線端末の複数の論理チャネルの間の優先度ハンドリングに影響し、
前記複数の論理チャネルは、前記少なくとも１つの制御論理チャネル、及び前記第１の無線端末のユーザデータの送信に使用される前記第１の無線端末の少なくとも１つのデータ論理チャネルを含む、
無線アクセスネットワークノード。
【００９３】
（付記２）
前記優先度パラメータは、前記無線アクセスネットワークノードにおけるリソーススケジューリング、前記無線アクセスネットワークノードにおける前記第１の無線端末の複数のダウンリンク論理チャネルの多重化、及び前記第１の無線端末における前記第１の無線端末の複数のアップリンク論理チャネルの多重化のうち少なくとも１つにおいて考慮される、
付記１に記載の無線アクセスネットワークノード。
【００９４】
（付記３）
前記優先度パラメータは、前記第１の無線端末におけるLogical Channel Prioritization（LCP）手順において使用される、
付記１又は２に記載の無線アクセスネットワークノード。
【００９５】
（付記４）
前記少なくとも１つのプロセッサは、前記少なくとも１つの制御論理チャネルの前記優先度パラメータが前記少なくとも１つのデータ論理チャネルの優先度パラメータと同じかそれより低くなるように、前記少なくとも１つの制御論理チャネルの前記優先度パラメータを変更する、
付記１〜３のいずれか１項に記載の無線アクセスネットワークノード。
【００９６】
（付記５）
前記少なくとも１つのプロセッサは、前記低減された優先度パラメータを示す制御メッセージを前記第１の無線端末に送信するよう構成されている、
付記１〜４のいずれか１項に記載の無線アクセスネットワークノード。
【００９７】
（付記６）
前記所定のイベントは、他のネットワークノードからの制御メッセージの受信を含む、
付記１〜５のいずれか１項に記載の無線アクセスネットワークノード。
【００９８】
（付記７）
前記他のネットワークノードは、コアネットワーク内の制御ノード、又はモバイル・エッジ・コンピューティング（MEC）サーバである、
付記６に記載の無線アクセスネットワークノード。
【００９９】
（付記８）
前記無線アクセスネットワークノードは、基地局である、
付記６又は７に記載の無線アクセスネットワークノード。
【０１００】
（付記９）
前記制御メッセージは、前記少なくとも１つのデータ論理チャネルを使用したユーザデータ送信を促進するように前記無線アクセスネットワークノードに要求する、
付記６〜８のいずれか１項に記載の無線アクセスネットワークノード。
【０１０１】
（付記１０）
前記制御メッセージは、前記少なくとも１つの制御論理チャネルへのリソース割り当てを低減するように前記無線アクセスネットワークノードに要求する、
付記６〜８のいずれか１項に記載の無線アクセスネットワークノード。
【０１０２】
（付記１１）
前記所定のイベントは、前記少なくとも１つのデータ論理チャネルを使用したユーザデータ送信の促進を前記無線アクセスネットワークノードにおいて判定したことを含む、
付記１〜５のいずれか１項に記載の無線アクセスネットワークノード。
【０１０３】
（付記１２）
前記所定のイベントは、前記少なくとも１つの制御論理チャネルへのリソース割り当ての低減を前記無線アクセスネットワークノードにおいて判定したことを含む、
付記１〜５のいずれか１項に記載の無線アクセスネットワークノード。
【０１０４】
（付記１３）
前記少なくとも１つの制御論理チャネルの各々は、特定のRadio Resource Control（RRC）メッセージ又は特定のNon-Access Stratum（NAS）メッセージの送信のみに使用される特定の制御論理チャネルである、
付記１〜１２のいずれか１項に記載の無線アクセスネットワークノード。
【０１０５】
（付記１４）
前記少なくとも１つのプロセッサは、前記低減された優先度パラメータを、前記少なくとも１つの制御論理チャネルの複数のデータセグメントに含まれており、且つ特定のRadio Resource Control（RRC）メッセージ又は特定のNon-Access Stratum（NAS）メッセージを包含する特定のデータセグメントに選択的に適用するよう構成されている、
付記１〜１２のいずれか１項に記載の無線アクセスネットワークノード。
【０１０６】
（付記１５）
前記優先度パラメータは、優先度及びprioritized bit rate（PBR）のうち少なくとも１つを含む、
付記１〜１４のいずれか１項に記載の無線アクセスネットワークノード。
【０１０７】
（付記１６）
前記少なくとも１つの制御論理チャネルの各々は、3GPP Long Term Evolution（LTE）、LTE-Advanced 、又はLTE-Advanced Pro のDedicated Control Channel（DCCH）である、
付記１〜１５のいずれか１項に記載の無線アクセスネットワークノード。
【０１０８】
（付記１７）
無線アクセスネットワークノードにおける方法であって、
所定のイベントの発生を判定すること、及び
前記所定のイベントに応答して、前記無線アクセスネットワークノードと第１の無線端末との間での制御メッセージの送信に使用される前記第１の無線端末の少なくとも１つの制御論理チャネルの優先度パラメータを初期値から低減すること、
を備え、
前記優先度パラメータは、前記無線アクセスネットワークノード及び前記第１の無線端末の少なくとも一方における前記第１の無線端末の複数の論理チャネルの間の優先度ハンドリングに影響し、
前記複数の論理チャネルは、前記少なくとも１つの制御論理チャネル、及び前記第１の無線端末のユーザデータの送信に使用される前記第１の無線端末の少なくとも１つのデータ論理チャネルを含む、
方法。
【０１０９】
（付記１８）
無線端末であって、
メモリと、
前記メモリに結合された少なくとも１つのプロセッサと、
を備え、
前記少なくとも１つのプロセッサは、前記無線端末と無線アクセスネットワークノードとの間での制御メッセージの送信に使用される少なくとも１つの制御論理チャネルの優先度パラメータを初期値から低減することを示す制御メッセージを前記無線アクセスネットワークノードから受信するよう構成され、
前記少なくとも１つのプロセッサは、前記低減された優先度パラメータを前記無線端末における前記無線端末の複数の論理チャネルの間の優先度ハンドリングに適用するよう構成され、
前記複数の論理チャネルは、前記少なくとも１つの制御論理チャネル、及び前記無線端末のユーザデータの送信に使用される前記無線端末の少なくとも１つのデータ論理チャネルを含む、
無線端末。
【０１１０】
（付記１９）
前記少なくとも１つのプロセッサは、前記低減された優先度パラメータを、前記少なくとも１つの制御論理チャネルの複数のデータセグメントに含まれており、且つ特定のRadio Resource Control（RRC）メッセージ又は特定のNon-Access Stratum（NAS）メッセージを包含する特定のデータセグメントに選択的に適用するよう構成されている、
付記１８に記載の無線端末。
【０１１１】
（付記２０）
前記少なくとも１つのプロセッサは、前記低減された優先度パラメータを前記無線端末におけるLogical Channel Prioritization（LCP）手順に適用するよう構成されている、
付記１８又は１９に記載の無線端末。
【０１１２】
（付記２１）
前記制御メッセージは、前記少なくとも１つの制御論理チャネルの前記優先度パラメータが前記少なくとも１つのデータ論理チャネルの優先度パラメータと同じかそれより低くなるように、前記少なくとも１つの制御論理チャネルの前記優先度パラメータが変更されることを示す、
付記１８〜２０のいずれか１項に記載の無線端末。
【０１１３】
（付記２２）
前記少なくとも１つの制御論理チャネルの各々は、特定のRadio Resource Control（RRC）メッセージ又は特定のNon-Access Stratum（NAS）メッセージの送信のみに使用される特定の制御論理チャネルである、
付記１８〜２１のいずれか１項に記載の無線端末。
【０１１４】
（付記２３）
前記優先度パラメータは、優先度及びprioritized bit rate（PBR）のうち少なくとも１つを含む、
付記１８〜２２のいずれか１項に記載の無線端末。
【０１１５】
（付記２４）
前記少なくとも１つの制御論理チャネルの各々は、3GPP Long Term Evolution（LTE）、LTE-Advanced 、又はLTE-Advanced Pro のDedicated Control Channel（DCCH）である、
付記１８〜２３のいずれか１項に記載の無線端末。
【０１１６】
（付記２５）
無線端末における方法であって、
前記無線端末と無線アクセスネットワークノードとの間での制御メッセージの送信に使用される少なくとも１つの制御論理チャネルの優先度パラメータを初期値から低減することを示す制御メッセージを前記無線アクセスネットワークノードから受信すること、及び
前記低減された優先度パラメータを前記無線端末における前記無線端末の複数の論理チャネルの間の優先度ハンドリングに適用すること、
を備え、
前記複数の論理チャネルは、前記少なくとも１つの制御論理チャネル、及び前記無線端末のユーザデータの送信に使用される前記無線端末の少なくとも１つのデータ論理チャネルを含む、
方法。
【０１１７】
（付記２６）
メモリと、
前記メモリに結合された少なくとも１つのプロセッサと、
を備え、
前記少なくとも１つのプロセッサは、第１の制御メッセージを基地局に送信するよう構成され、
前記第１の制御メッセージは、前記基地局と第１の無線端末との間での制御メッセージの送信に使用される前記第１の無線端末の少なくとも１つの制御論理チャネルの優先度パラメータを初期値から低減するよう前記基地局をトリガーし、
前記優先度パラメータは、前記基地局及び前記第１の無線端末の少なくとも一方における前記第１の無線端末の複数の論理チャネルの間の優先度ハンドリングに影響し、
前記複数の論理チャネルは、前記少なくとも１つの制御論理チャネル、及び前記第１の無線端末のユーザデータの送信に使用される前記第１の無線端末の少なくとも１つのデータ論理チャネルを含む、
ネットワークノード。
【０１１８】
（付記２７）
前記少なくとも１つのプロセッサは、前記第１の無線端末に関する制御プレーン・メッセージ送信の抑制を前記ネットワークノードにおいて判定したことに応答して、前記第１の制御メッセージを前記基地局に送信するよう構成されている、
付記２６に記載のネットワークノード。
【０１１９】
（付記２８）
前記少なくとも１つのプロセッサは、前記第１の無線端末に関するユーザデータ送信の促進を前記ネットワークノードにおいて判定したことに応答して、前記第１の制御メッセージを前記基地局に送信するよう構成されている、
付記２６又は２７に記載のネットワークノード。
【０１２０】
（付記２９）
前記少なくとも１つのプロセッサは、前記第１の無線端末の挙動、通信特性、又は使用するサービスに基づいて、前記第１の制御メッセージを前記基地局に送信するか否かを決定するよう構成されている、
付記２６〜２８のいずれか１項に記載のネットワークノード。
【０１２１】
（付記３０）
前記少なくとも１つのプロセッサは、他のネットワークノードからの第２の制御メッセージの受信に応答して、前記第１の制御メッセージを前記基地局に送信するよう構成されている、
付記２６〜２９のいずれか１項に記載のネットワークノード。
【０１２２】
（付記３１）
前記他のネットワークノードは、Home Subscriber Server（HSS）、Service Capability Exposure Function（SCEF）エンティティ、又はPolicy and Charging Rule Function（PCRF）エンティティである、
付記３０に記載のネットワークノード。
【０１２３】
（付記３２）
前記優先度パラメータは、前記基地局におけるリソーススケジューリング、前記基地局における前記第１の無線端末の複数のダウンリンク論理チャネルの多重化、及び前記第１の無線端末における前記第１の無線端末の複数のアップリンク論理チャネルの多重化のうち少なくとも１つにおいて考慮される、
付記２６〜３１のいずれか１項に記載のネットワークノード。
【０１２４】
（付記３３）
前記優先度パラメータは、前記第１の無線端末におけるLogical Channel Prioritization（LCP）手順において使用される、
付記２６〜３２のいずれか１項に記載のネットワークノード。
【０１２５】
（付記３４）
前記ネットワークノードは、コアネットワーク内の制御ノード、又はモバイル・エッジ・コンピューティング（MEC）サーバである、
付記２６〜３３のいずれか１項に記載のネットワークノード。
【０１２６】
（付記３５）
前記優先度パラメータは、優先度及びprioritized bit rate（PBR）のうち少なくとも１つを含む、
付記２６〜３４のいずれか１項に記載のネットワークノード。
【０１２７】
（付記３６）
ネットワークノードにおける方法であって、
第１の制御メッセージを基地局に送信することを備え、
前記第１の制御メッセージは、前記基地局と第１の無線端末との間での制御メッセージの送信に使用される前記第１の無線端末の少なくとも１つの制御論理チャネルの優先度パラメータを初期値から低減するよう前記基地局をトリガーし、
前記優先度パラメータは、前記基地局及び前記第１の無線端末の少なくとも一方における前記第１の無線端末の複数の論理チャネルの間の優先度ハンドリングに影響し、
前記複数の論理チャネルは、前記少なくとも１つの制御論理チャネル、及び前記第１の無線端末のユーザデータの送信に使用される前記第１の無線端末の少なくとも１つのデータ論理チャネルを含む、
方法。
【０１２８】
（付記３７）
無線アクセスネットワークノードにおける方法をコンピュータに行わせるためのプログラムであって、
前記方法は、
所定のイベントの発生を判定すること、及び
前記所定のイベントに応答して、前記無線アクセスネットワークノードと第１の無線端末との間での制御メッセージの送信に使用される前記第１の無線端末の少なくとも１つの制御論理チャネルの優先度パラメータを初期値から低減すること、
を備え、
前記優先度パラメータは、前記無線アクセスネットワークノード及び前記第１の無線端末の少なくとも一方における前記第１の無線端末の複数の論理チャネルの間の優先度ハンドリングに影響し、
前記複数の論理チャネルは、前記少なくとも１つの制御論理チャネル、及び前記第１の無線端末のユーザデータの送信に使用される前記第１の無線端末の少なくとも１つのデータ論理チャネルを含む、
プログラム。
【０１２９】
（付記３８）
無線端末における方法をコンピュータに行わせるためのプログラムであって、
前記方法は、
前記無線端末と無線アクセスネットワークノードとの間での制御メッセージの送信に使用される少なくとも１つの制御論理チャネルの優先度パラメータを初期値から低減することを示す制御メッセージを無線アクセスネットワークノードから受信すること、及び
前記低減された優先度パラメータを前記無線端末における前記無線端末の複数の論理チャネルの間の優先度ハンドリングに適用すること、
を備え、
前記複数の論理チャネルは、前記少なくとも１つの制御論理チャネル、及び前記無線端末のユーザデータの送信に使用される前記無線端末の少なくとも１つのデータ論理チャネルを含む、
プログラム。
【０１３０】
（付記３９）
ネットワークノードにおける方法をコンピュータに行わせるためのプログラムであって、
前記方法は、第１の制御メッセージを基地局に送信することを備え、
前記第１の制御メッセージは、前記基地局と第１の無線端末との間での制御メッセージの送信に使用される前記第１の無線端末の少なくとも１つの制御論理チャネルの優先度パラメータを初期値から低減するよう前記基地局をトリガーし、
前記優先度パラメータは、前記基地局及び前記第１の無線端末の少なくとも一方における前記第１の無線端末の複数の論理チャネルの間の優先度ハンドリングに影響し、
前記複数の論理チャネルは、前記少なくとも１つの制御論理チャネル、及び前記第１の無線端末のユーザデータの送信に使用される前記第１の無線端末の少なくとも１つのデータ論理チャネルを含む、
プログラム。
【０１３１】
この出願は、２０１６年３月３１日に出願された日本出願特願２０１６−０７２４２３を基礎とする優先権を主張し、その開示の全てをここに取り込む。
【符号の説明】
【０１３２】
１  UE
２  eNB
３  ネットワークノード
４  ネットワークノード
５０１  RRCモジュール
５０３  コントローラ
５０４  ダウンリンク・スケジューラ
６０１  RRCモジュール
６０３  コントローラ
６０４  LCPエンティティ
【図１】
0006566123.tif 000002
【図２】
0006566123.tif 000003
【図３】
0006566123.tif 000004
【図４】
0006566123.tif 000005
【図５】
0006566123.tif 000006
【図６】
0006566123.tif 000007
【図７】
0006566123.tif 000008
【図８】
0006566123.tif 000009
【図９】
0006566123.tif 000010
【図１０】
0006566123.tif 000011
【図１１】
0006566123.tif 000012
【図１２】
0006566123.tif 000013